(57)【要約】【課題】  周波数リソースの競合を回避して、システムの安定的な動作を実現することができる周波数選択装置及びリーダライタ管理装置を得ることを目的とする。【解決手段】  ＲＦＩＤタグと無線通信を実施する際、周波数記憶部１１に記憶されている周波数１〜Ｆ４の中から、優先順位が高い周波数を優先的に選択する周波数選択部１２を設け、その周波数選択部１２により選択された周波数の使用状況を判定し、現在使用中であれば、他の周波数の選択を周波数選択部１２に指示し、現在未使用中であれば、周波数の選択完了を周波数選択部１２に指示する。【選択図】        図１
2006197233.tif 000002
【特許請求の範囲】
【請求項１】
事業者系ユーザ及び消費者系ユーザのリーダライタが共通に使用可能な複数の周波数を記憶する一方、事業者系ユーザのリーダライタに実装される場合、事業者系ユーザのリーダライタが使用する周波数の優先順位を記憶し、消費者系ユーザのリーダライタに実装される場合、消費者系ユーザのリーダライタが使用する周波数の優先順位を記憶する記憶手段と、タグと無線通信を実施する際、上記記憶手段に記憶されている複数の周波数の中から、優先順位が高い周波数を優先的に選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段とを備えた周波数選択装置。
【請求項２】
記憶手段に記憶される事業者系ユーザのリーダライタが使用する周波数の優先順位と、消費者系ユーザのリーダライタが使用する周波数の優先順位とが異なることを特徴とする請求項１記載の周波数選択装置。
【請求項３】
事業者系ユーザのリーダライタに実装される場合、事業者系ユーザのリーダライタが使用可能な少なくとも１以上の周波数を記憶し、消費者系ユーザのリーダライタに実装される場合、事業者系ユーザのリーダライタが使用可能な周波数と異なる１以上の周波数を消費者系ユーザのリーダライタが使用可能な周波数として記憶する周波数記憶手段と、タグと無線通信を実施する際、上記周波数記憶手段に記憶されている周波数の中から任意の周波数を選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段とを備えた周波数選択装置。
【請求項４】
周波数選択手段は、使用状況判定手段から現在未使用中の周波数が存在しない旨を示す判定結果を受けると、予め設定された周波数の借用条件を満足するか否かを判定し、その借用条件を満足する場合に限り、他系ユーザのリーダライタが使用可能な周波数の中から任意の周波数を選択することを特徴とする請求項３記載の周波数選択装置。
【請求項５】
リーダライタが使用可能な周波数帯域を記憶する周波数帯域記憶手段と、上記周波数帯域記憶手段に記憶されている周波数帯域が、他のリーダライタが使用可能な周波数帯域を包含している場合、タグと無線通信を実施する際、上記記憶手段に記憶されている周波数帯域の中から、他のリーダライタが使用可能な周波数帯域の範囲外の周波数を優先的に選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段とを備えた周波数選択装置。
【請求項６】
周波数帯域記憶手段は、リーダライタが使用可能な周波数帯域として、コマンド送信用の周波数帯域を記憶するとともに、レスポンス受信用の周波数帯域を記憶することを特徴とする請求項５記載の周波数選択装置。
【請求項７】
コマンドの送信に使用可能な少なくとも１以上の周波数を記憶するコマンド用周波数記憶手段と、上記コマンド用周波数記憶手段に記憶されている周波数と異なり、かつ、そのコマンド用周波数記憶手段に記憶されている周波数より多くの周波数をレスポンス受信用電波の送信に使用可能な周波数として記憶するレスポンス用周波数記憶手段と、コマンドをタグに送信する場合、上記コマンド用周波数記憶手段に記憶されている周波数の中から任意の周波数を選択し、レスポンス受信用電波をタグに送信する場合、上記レスポンス用周波数記憶手段に記憶されている周波数の中から任意の周波数を選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段とを備えた周波数選択装置。
【請求項８】
事業者系ユーザ及び消費者系ユーザのリーダライタが共通に使用可能な複数の周波数を記憶する一方、事業者系ユーザのリーダライタが使用する周波数の優先順位と消費者系ユーザのリーダライタが使用する周波数の優先順位を記憶する記憶手段と、事業者系ユーザ又は消費者系ユーザのリーダライタから周波数の選択要求を受けると、上記記憶手段に記憶されている複数の周波数の中から、上記リーダライタにおける優先順位が高い周波数を優先的に選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段と、上記周波数選択手段により最終的に選択された周波数を上記リーダライタに通知する周波数通知手段とを備えたリーダライタ管理装置。
【請求項９】
事業者系ユーザのリーダライタが使用可能な少なくとも１以上の周波数を記憶する一方、事業者系ユーザのリーダライタが使用可能な周波数と異なる１以上の周波数を消費者系ユーザのリーダライタが使用可能な周波数として記憶する周波数記憶手段と、事業者系ユーザ又は消費者系ユーザのリーダライタから周波数の選択要求を受けると、上記周波数記憶手段に記憶されている当該リーダライタに係る周波数の中から任意の周波数を選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段と、上記周波数選択手段により最終的に選択された周波数を上記リーダライタに通知する周波数通知手段とを備えたリーダライタ管理装置。
【請求項１０】
第１のリーダライタが使用可能な周波数帯域を記憶するとともに、第２のリーダライタが使用可能な周波数帯域を記憶する周波数帯域記憶手段と、第２のリーダライタから周波数の選択要求を受けたとき、上記周波数帯域記憶手段に記憶されている第２のリーダライタが使用可能な周波数帯域が、第１のリーダライタが使用可能な周波数帯域を包含している場合、第２のリーダライタが使用可能な周波数帯域の中から、第１のリーダライタが使用可能な周波数帯域の範囲外の周波数を優先的に選択する周波数選択手段と、上記周波数選択手段により選択された周波数の使用状況を判定し、現在使用中であれば、他の周波数の選択を上記周波数選択手段に指示し、現在未使用中であれば、周波数の選択完了を上記周波数選択手段に指示する使用状況判定手段と、上記周波数選択手段により最終的に選択された周波数を上記リーダライタに通知する周波数通知手段とを備えたリーダライタ管理装置。
【発明の詳細な説明】
【技術分野】
【０００１】
この発明は、リーダライタが使用する周波数を選択する周波数選択装置及びリーダライタ管理装置に関するものである。
【背景技術】
【０００２】
ＲＦＩＤシステムにおいては、２種類のユーザが想定される。一つは事業所系のユーザであり、もう一つはコンシューマ（消費者）系のユーザである。
事業所系ユーザは、ＲＦＩＤシステムを安定的に動作させる必要がある。一方、コンシューマ系ユーザは、ａｄ−ｈｏｃに動作し、品質に関する規定は事業所に比べて低い。
日本のＲＦＩＤシステムにおいては、諸外国と比べて、周波数資源が非常に少ないので、上記のような事業所系ユーザとコンシューマ系ユーザが同居することがある。
【０００３】
特に事業所系のリーダライタは、利用場所によっては１つの周波数で足りないことも想定される。また、一部干渉の問題から他周波数を利用することがあると思われるが、動作単位毎に周波数を切り替えるのではなく、ある一定量の通信成功率を満足する限りは極力同一周波数を用いることを前提としている。
周波数を頻繁に変えると、他システム間の干渉を効率的に回避することが不可能になる。ランダム確率に依存する通信成功率しか実現できなくなるためである。
【０００４】
なお、ＲＦＩＤタグとデータを送受信するアンテナと、そのアンテナにより送受信されるデータの読み取りや書き換えなどを実施するＲＦＩＤリーダライタ部などを実装しているリーダライタが下記の特許文献１に開示されている。
ただし、リーダライタが使用する周波数は固定であり、複数の周波数の中から使用する周波数を選択する技術は開示されていない。
【０００５】
【特許文献１】特開２００１−１５５１２０号公報（段落番号［０００５］から［０００７］、図２）
【発明の開示】
【発明が解決しようとする課題】
【０００６】
従来のリーダライタは以上のように構成されているので、事業所系ユーザとコンシューマ系ユーザが同一の周波数を使用する場合ある。この場合、事業所系ユーザとコンシューマ系ユーザにおいて、周波数リソースの競合が発生し、事業所系ユーザがＲＦＩＤシステムを安定的に動作させることができない状況が発生するなどの課題があった。
【０００７】
この発明は上記のような課題を解決するためになされたもので、周波数リソースの競合を回避して、システムの安定的な動作を実現することができる周波数選択装置及びリーダライタ管理装置を得ることを目的とする。
【課題を解決するための手段】
【０００８】
この発明に係る周波数選択装置は、タグと無線通信を実施する際、記憶手段に記憶されている複数の周波数の中から、優先順位が高い周波数を優先的に選択する周波数選択手段を設け、その周波数選択手段により選択された周波数の使用状況を判定し、現在使用中であれば、他の周波数の選択を周波数選択手段に指示し、現在未使用中であれば、周波数の選択完了を周波数選択手段に指示するようにしたものである。
【発明の効果】
【０００９】
この発明によれば、タグと無線通信を実施する際、記憶手段に記憶されている複数の周波数の中から、優先順位が高い周波数を優先的に選択する周波数選択手段を設け、その周波数選択手段により選択された周波数の使用状況を判定し、現在使用中であれば、他の周波数の選択を周波数選択手段に指示し、現在未使用中であれば、周波数の選択完了を周波数選択手段に指示するように構成したので、周波数リソースの競合を回避して、システムの安定的な動作を実現することができる効果がある。
【発明を実施するための最良の形態】
【００１０】
実施の形態１．
図１はこの発明の実施の形態１による周波数選択装置が搭載されるリーダライタとＲＦＩＤタグから構成されるＲＦＩＤシステムを示す構成図である。
図において、ＲＷ１，２は事業者系ユーザのリーダライタであり、通信可能エリア１ａ，２ａ内に存在するＲＦＩＤタグ６，７と無線通信を実施する。
ＭＴ３，４，５は消費者系ユーザのリーダライタであり、例えば、ＲＦＩＤタグ６と無線通信を実施する。
なお、ＲＷ１，２は通信可能エリア１ａ，２ａ内に存在するＲＦＩＤタグ６，７と確実に無線通信を実施する必要があるが、ＭＴ３，４，５は無線通信の成功確率が１００％である必要はない。
ＲＷ１，２及びＭＴ３，４，５には、以下に示す周波数選択装置が搭載される。
【００１１】
図２はこの発明の実施の形態１による周波数選択装置を示す構成図である。図において、周波数記憶部１１はＲＷ１，２及びＭＴ３，４，５が共通に使用可能な周波数Ｆ１〜Ｆ４を記憶する一方、周波数選択装置がＲＷ１，２に実装される場合、ＲＷ１，２が使用する周波数Ｆ１〜Ｆ４の優先順位を記憶する。また、周波数選択装置がＭＴ３，４，５に実装される場合、ＭＴ３，４，５が使用する周波数Ｆ１〜Ｆ４の優先順位を記憶する。なお、周波数記憶部１１は記憶手段を構成している。
周波数選択部１２はＲＦＩＤタグ６，７と無線通信を実施する際、周波数記憶部１１に記憶されている周波数Ｆ１〜Ｆ４の中から、優先順位が高い周波数を優先的に選択する。
なお、周波数選択部１２は周波数選択手段を構成している。
【００１２】
キャリアセンス部１３は周波数選択部１２により選択された周波数の使用状況を判定し、現在使用中であれば、他の周波数の選択を周波数選択部１２に指示し、現在未使用中であれば、周波数の選択完了を周波数選択部１２に指示する。なお、キャリアセンス部１３は使用状況判定手段を構成している。
通信部１４は周波数選択部１２により最終的に選択された周波数を使用し、アンテナ１５を介して、ＲＦＩＤタグ６，７と無線通信を実施する。
【００１３】
次に動作について説明する。
ＲＷ１，２がＲＦＩＤタグ６，７と無線通信を実施する場合、ＲＷ１，２に実装されている周波数選択装置の周波数選択部１２は、周波数記憶部１１に記憶されている周波数Ｆ１〜Ｆ４の中から、優先順位が高い周波数を優先的に選択する。
ここで、図３はＲＷ１，２に実装されている周波数選択装置の周波数記憶部１１の記憶内容を示す説明図であり、図３の例では、周波数Ｆ１の優先順位が最も高く、周波数Ｆ４の優先順位が最も低い。即ち、周波数Ｆ１〜Ｆ４の優先順位は下記の通りである。
Ｆ１＞Ｆ２＞Ｆ３＞Ｆ４
したがって、図３の例では、周波数選択部１２は、最初に周波数Ｆ１を選択する。
【００１４】
ＲＷ１，２に実装されている周波数選択装置のキャリアセンス部１３は、周波数選択部１２が周波数Ｆ１を選択すると、その周波数Ｆ１の使用状況を判定する。
キャリアセンス部１３は、例えば、アンテナ１５による周波数Ｆ１の受信強度を所定の閾値Ａと比較し、周波数Ｆ１の受信強度Ｓが所定の閾値Ａより高ければ（例えば、Ｓ≧Ａ）、他のＲＷ又はＭＴが周波数Ｆ１を現在使用していると判断する。
一方、周波数Ｆ１の受信強度Ｓが所定の閾値Ａより低ければ（例えば、Ｓ＜Ａ）、他のＲＷ又はＭＴが周波数Ｆ１を現在使用していないと判断する。
キャリアセンス部１３は、周波数Ｆ１が現在使用中であると判断すると、他の周波数の選択を周波数選択部１２に指示し、現在未使用中であると判断すると、周波数の選択完了を周波数選択部１２に指示する。
【００１５】
ＲＷ１，２に実装されている周波数選択装置の周波数選択部１２は、キャリアセンス部１３から選択完了の指示を受けると（周波数Ｆ１が現在未使用中であると判断された場合）、通信部１４に対して周波数Ｆ１の使用を許可する。
一方、キャリアセンス部１３から他の周波数の選択指示を受けると（周波数Ｆ１が現在使用中であると判断された場合）、周波数記憶部１１の記憶内容を参照して、周波数Ｆ１の次に優先順位が高い周波数を選択する（図３の例では、周波数Ｆ２）。
ＲＷ１，２に実装されている周波数選択装置のキャリアセンス部１３は、周波数選択部１２が周波数Ｆ２を選択すると、その周波数Ｆ２の使用状況を判定する。
キャリアセンス部１３は、周波数Ｆ２が現在使用中であると判断すると、他の周波数の選択を周波数選択部１２に指示し、現在未使用中であると判断すると、周波数の選択完了を周波数選択部１２に指示する。
【００１６】
ＲＷ１，２に実装されている周波数選択装置の周波数選択部１２は、キャリアセンス部１３から選択完了の指示を受けると（周波数Ｆ２が現在未使用中であると判断された場合）、通信部１４に対して周波数Ｆ２の使用を許可する。
一方、キャリアセンス部１３から他の周波数の選択指示を受けると（周波数Ｆ２が現在使用中であると判断された場合）、周波数記憶部１１の記憶内容を参照して、周波数Ｆ２の次に優先順位が高い周波数を選択する（図３の例では、周波数Ｆ３）。
ＲＷ１，２に実装されている周波数選択装置のキャリアセンス部１３は、周波数選択部１２が周波数Ｆ３を選択すると、その周波数Ｆ３の使用状況を判定する。
キャリアセンス部１３は、周波数Ｆ３が現在使用中であると判断すると、他の周波数の選択を周波数選択部１２に指示し、現在未使用中であると判断すると、周波数の選択完了を周波数選択部１２に指示する。
【００１７】
ＲＷ１，２に実装されている周波数選択装置の周波数選択部１２は、キャリアセンス部１３から選択完了の指示を受けると（周波数Ｆ３が現在未使用中であると判断された場合）、通信部１４に対して周波数Ｆ３の使用を許可する。
一方、キャリアセンス部１３から他の周波数の選択指示を受けると（周波数Ｆ３が現在使用中であると判断された場合）、周波数記憶部１１の記憶内容を参照して、周波数Ｆ３の次に優先順位が高い周波数を選択する（図３の例では、周波数Ｆ４）。
ＲＷ１，２に実装されている周波数選択装置のキャリアセンス部１３は、周波数選択部１２が周波数Ｆ４を選択すると、その周波数Ｆ４の使用状況を判定する。
キャリアセンス部１３は、周波数Ｆ４が現在使用中であると判断すると、現在通信不可能である旨を周波数選択部１２に通知し、現在未使用中であると判断すると、周波数の選択完了を周波数選択部１２に指示する。
【００１８】
ＲＷ１，２に実装されている周波数選択装置の周波数選択部１２は、キャリアセンス部１３から選択完了の指示を受けると（周波数Ｆ４が現在未使用中であると判断された場合）、通信部１４に対して周波数Ｆ４の使用を許可する。
一方、キャリアセンス部１３から現在通信不可能である旨の通知を受けると（周波数Ｆ４が現在使用中であると判断された場合）、通信部１４に対する周波数の使用許可を与えないようにする。
ＲＷ１，２に実装されている周波数選択装置の通信部１４は、周波数選択部１２により使用許可された周波数を使用し、アンテナ１５を介して、ＲＦＩＤタグ６，７と無線通信を実施する。
【００１９】
次に、ＭＴ３，４，５がＲＦＩＤタグ６と無線通信を実施する場合、ＭＴ３，４，５に実装されている周波数選択装置の周波数選択部１２は、周波数記憶部１１に記憶されている周波数Ｆ１〜Ｆ４の中から、優先順位が高い周波数を優先的に選択する。
ここで、図４はＭＴ３，４，５に実装されている周波数選択装置の周波数記憶部１１の記憶内容を示す説明図であり、図４の例では、周波数Ｆ４の優先順位が最も高く、周波数Ｆ１の優先順位が最も低い。即ち、周波数Ｆ１〜Ｆ４の優先順位は下記の通りであり、ＲＷ１，２の場合と逆順になっている。
Ｆ４＞Ｆ３＞Ｆ２＞Ｆ１
したがって、図４の例では、周波数選択部１２は、最初に周波数Ｆ４を選択し、その周波数Ｆ４が使用中であれば、未使用中の周波数が見つかるまで、周波数Ｆ３，Ｆ２，Ｆ１の順に選択する。
【００２０】
周波数選択部１２における周波数の選択順序が、ＲＷ１，２に実装されている周波数選択装置の周波数選択部１２と異なる点以外は、同様の処理を実施するため詳細な説明は省略する。
このように、周波数の選択順序が異なることにより、ＲＷ１，２又はＭＴ３，４，５が共通に使用可能な周波数Ｆ１〜Ｆ４の全てを使用していない限り、周波数リソースの競合が発生しなくなる。
【００２１】
以上で明らかなように、この実施の形態１によれば、ＲＦＩＤタグと無線通信を実施する際、周波数記憶部１１に記憶されている周波数１〜Ｆ４の中から、優先順位が高い周波数を優先的に選択する周波数選択部１２を設け、その周波数選択部１２により選択された周波数の使用状況を判定し、現在使用中であれば、他の周波数の選択を周波数選択部１２に指示し、現在未使用中であれば、周波数の選択完了を周波数選択部１２に指示するように構成したので、周波数リソースの競合を回避して、システムの安定的な動作を実現することができる効果を奏する。
【００２２】
実施の形態２．
図５はこの発明の実施の形態２によるリーダライタ管理装置が適用されるＲＦＩＤシステムを示す構成図である。図において、図１と同一符号は同一または相当部分を示すので説明を省略する。
リーダライタ管理装置８はＲＷ１，２又はＭＴ３，４，５がＲＦＩＤタグ６等と無線通信を実施する際、使用を許可する周波数をＲＷ１，２又はＭＴ３，４，５に通知する機能を備えている。
【００２３】
図６はこの発明の実施の形態２によるリーダライタ管理装置を示す構成図であり、図において、周波数記憶部２１はＲＷ１，２及びＭＴ３，４，５が共通に使用可能な周波数Ｆ１〜Ｆ４を記憶する一方、ＲＷ１，２が使用する周波数Ｆ１〜Ｆ４の優先順位とＭＴ３，４，５が使用する周波数Ｆ１〜Ｆ４の優先順位を記憶する。なお、周波数記憶部２１は記憶手段を構成している。
周波数選択部２２はアンテナ２５がＲＷ１，２又はＭＴ３，４，５から周波数の選択要求を受信すると、周波数記憶部２１に記憶されている周波数Ｆ１〜Ｆ４の中から、優先順位が高い周波数を優先的に選択する。
なお、周波数選択部２２は周波数選択手段を構成している。
【００２４】
キャリアセンス結果収集部２３は周波数選択部２２により選択された周波数の使用状況を示すキャリアセンス結果をＲＷ１，２又はＭＴ３，４，５から収集して、その周波数の使用状況を判定し、現在使用中であれば、他の周波数の選択を周波数選択部２２に指示し、現在未使用中であれば、周波数の選択完了を周波数選択部２２に指示する。なお、キャリアセンス結果収集部２３は使用状況判定手段を構成している。
使用周波数通知部２４は周波数選択部２２により最終的に選択された周波数をＲＷ１，２又はＭＴ３，４，５に通知する。なお、使用周波数通知部２４は周波数通知手段を構成している。
【００２５】
次に動作について説明する。
ＲＷ１，２がＲＦＩＤタグ６，７と無線通信を実施する場合、ＲＷ１，２が無線又は有線の通信回線を利用して、周波数の選択要求をリーダライタ管理装置８に送信する。
リーダライタ管理装置８の周波数選択部２２は、例えば、アンテナ２５がＲＷ１，２から送信された周波数の選択要求を受信すると、周波数記憶部２１に記憶されている周波数Ｆ１〜Ｆ４の中から、優先順位が高い周波数を優先的に選択する。
ここで、図７は周波数記憶部２１の記憶内容を示す説明図であり、図７の例では、ＲＷ１，２が使用する周波数の中で、最も優先順位が高い周波数はＦ１であり、周波数Ｆ４の優先順位が最も低い。即ち、周波数Ｆ１〜Ｆ４の優先順位は下記の通りである。
Ｆ１＞Ｆ２＞Ｆ３＞Ｆ４
したがって、図７の例では、周波数選択部２２は、最初に周波数Ｆ１を選択する。
【００２６】
リーダライタ管理装置８のキャリアセンス結果収集部２３は、周波数選択部２２が周波数Ｆ１を選択すると、その周波数Ｆ１に対するキャリアセンスをＲＷ１，２に依頼して、ＲＷ１，２から周波数Ｆ１のキャリアセンス結果を収集し、そのキャリアセンス結果から周波数Ｆ１の使用状況を判定する。
キャリアセンス結果収集部２３は、例えば、ＲＷ１，２における周波数Ｆ１の受信強度を所定の閾値Ａと比較し、周波数Ｆ１の受信強度Ｓが所定の閾値Ａより高ければ（例えば、Ｓ≧Ａ）、他のＲＷ又はＭＴが周波数Ｆ１を現在使用していると判断する。
一方、周波数Ｆ１の受信強度Ｓが所定の閾値Ａより低ければ（例えば、Ｓ＜Ａ）、他のＲＷ又はＭＴが周波数Ｆ１を現在使用していないと判断する。
キャリアセンス結果収集部２３は、周波数Ｆ１が現在使用中であると判断すると、他の周波数の選択を周波数選択部２２に指示し、現在未使用中であると判断すると、周波数の選択完了を周波数選択部２２に指示する。
【００２７】
リーダライタ管理装置８の周波数選択部２２は、キャリアセンス結果収集部２３から選択完了の指示を受けると（周波数Ｆ１が現在未使用中であると判断された場合）、その周波数Ｆ１の使用許可の通知要求を使用周波数通知部２４に出力する。
リーダライタ管理装置８の使用周波数通知部２４は、周波数選択部２２から周波数Ｆ１の使用許可の通知要求を受けると、無線又は有線回線を利用して、周波数の選択要求元であるＲＷ１，２に対して周波数Ｆ１の使用許可を通知する。
ＲＷ１，２は、リーダライタ管理装置８から周波数Ｆ１の使用許可通知を受けると、その周波数Ｆ１を使用して、ＲＦＩＤタグ６，７と無線通信を実施する。
【００２８】
リーダライタ管理装置８の周波数選択部２２は、キャリアセンス結果収集部２３から他の周波数の選択指示を受けると（周波数Ｆ１が現在使用中であると判断された場合）、周波数記憶部２１の記憶内容を参照して、周波数Ｆ１の次に優先順位が高い周波数を選択する（図７の例では、周波数Ｆ２）。
リーダライタ管理装置８のキャリアセンス結果収集部２３は、周波数選択部２２が周波数Ｆ２を選択すると、その周波数Ｆ２に対するキャリアセンスをＲＷ１，２に依頼して、ＲＷ１，２から周波数Ｆ２のキャリアセンス結果を収集し、そのキャリアセンス結果から周波数Ｆ２の使用状況を判定する。
キャリアセンス結果収集部２３は、周波数Ｆ２が現在使用中であると判断すると、他の周波数の選択を周波数選択部２２に指示し、現在未使用中であると判断すると、周波数の選択完了を周波数選択部２２に指示する。
【００２９】
リーダライタ管理装置８の周波数選択部２２は、キャリアセンス結果収集部２３から選択完了の指示を受けると（周波数Ｆ２が現在未使用中であると判断された場合）、その周波数Ｆ２の使用許可の通知要求を使用周波数通知部２４に出力する。
リーダライタ管理装置８の使用周波数通知部２４は、周波数選択部２２から周波数Ｆ２の使用許可の通知要求を受けると、無線又は有線回線を利用して、周波数の選択要求元であるＲＷ１，２に対して周波数Ｆ２の使用許可を通知する。
ＲＷ１，２は、リーダライタ管理装置８から周波数Ｆ２の使用許可通知を受けると、その周波数Ｆ２を使用して、ＲＦＩＤタグ６，７と無線通信を実施する。
【００３０】
リーダライタ管理装置８の周波数選択部２２は、キャリアセンス結果収集部２３から他の周波数の選択指示を受けると（周波数Ｆ２が現在使用中であると判断された場合）、周波数記憶部２１の記憶内容を参照して、周波数Ｆ２の次に優先順位が高い周波数を選択する（図７の例では、周波数Ｆ３）。
リーダライタ管理装置８のキャリアセンス結果収集部２３は、周波数選択部２２が周波数Ｆ３を選択すると、その周波数Ｆ３に対するキャリアセンスをＲＷ１，２に依頼して、ＲＷ１，２から周波数Ｆ３のキャリアセンス結果を収集し、そのキャリアセンス結果から周波数Ｆ３の使用状況を判定する。
キャリアセンス結果収集部２３は、周波数Ｆ３が現在使用中であると判断すると、他の周波数の選択を周波数選択部２２に指示し、現在未使用中であると判断すると、周波数の選択完了を周波数選択部２２に指示する。
【００３１】
リーダライタ管理装置８の周波数選択部２２は、キャリアセンス結果収集部２３から選択完了の指示を受けると（周波数Ｆ３が現在未使用中であると判断された場合）、その周波数Ｆ３の使用許可の通知要求を使用周波数通知部２４に出力する。
リーダライタ管理装置８の使用周波数通知部２４は、周波数選択部２２から周波数Ｆ３の使用許可の通知要求を受けると、無線又は有線回線を利用して、周波数の選択要求元であるＲＷ１，２に対して周波数Ｆ３の使用許可を通知する。
ＲＷ１，２は、リーダライタ管理装置８から周波数Ｆ３の使用許可通知を受けると、その周波数Ｆ３を使用して、ＲＦＩＤタグ６，７と無線通信を実施する。
【００３２】
リーダライタ管理装置８の周波数選択部２２は、キャリアセンス結果収集部２３から他の周波数の選択指示を受けると（周波数Ｆ３が現在使用中であると判断された場合）、周波数記憶部２１の記憶内容を参照して、周波数Ｆ３の次に優先順位が高い周波数を選択する（図７の例では、周波数Ｆ４）。
リーダライタ管理装置８のキャリアセンス結果収集部２３は、周波数選択部２２が周波数Ｆ４を選択すると、その周波数Ｆ４に対するキャリアセンスをＲＷ１，２に依頼して、ＲＷ１，２から周波数Ｆ４のキャリアセンス結果を収集し、そのキャリアセンス結果から周波数Ｆ４の使用状況を判定する。
キャリアセンス結果収集部２３は、周波数Ｆ４が現在使用中であると判断すると、現在通信不可能である旨を周波数選択部２２に通知し、現在未使用中であると判断すると、周波数の選択完了を周波数選択部２２に指示する。
【００３３】
リーダライタ管理装置８の周波数選択部２２は、キャリアセンス結果収集部２３から選択完了の指示を受けると（周波数Ｆ４が現在未使用中であると判断された場合）、その周波数Ｆ４の使用許可の通知要求を使用周波数通知部２４に出力する。
リーダライタ管理装置８の使用周波数通知部２４は、周波数選択部２２から周波数Ｆ４の使用許可の通知要求を受けると、無線又は有線回線を利用して、周波数の選択要求元であるＲＷ１，２に対して周波数Ｆ４の使用許可を通知する。
ＲＷ１，２は、リーダライタ管理装置８から周波数Ｆ４の使用許可通知を受けると、その周波数Ｆ４を使用して、ＲＦＩＤタグ６，７と無線通信を実施する。
【００３４】
リーダライタ管理装置８の周波数選択部２２は、キャリアセンス結果収集部２３から現在通信不可能である旨の通知を受けると（周波数Ｆ４が現在使用中であると判断された場合）、使用不許可の通知要求を使用周波数通知部２４に出力する。
リーダライタ管理装置８の使用周波数通知部２４は、周波数選択部２２から使用不許可の通知要求を受けると、無線又は有線回線を利用して、周波数の選択要求元であるＲＷ１，２に対して使用不許可を通知する。
ＲＷ１，２は、リーダライタ管理装置８から周波数Ｆ４の使用許可通知を受けると、ＲＦＩＤタグ６，７との無線通信を当面の間断念する。
【００３５】
次に、ＭＴ３，４，５がＲＦＩＤタグ６と無線通信を実施する場合、ＭＴ３，４，５が無線回線を利用して、周波数の選択要求をリーダライタ管理装置８に送信する。
リーダライタ管理装置８の周波数選択部２２は、アンテナ２５がＭＴ３，４，５から送信された周波数の選択要求を受信すると、周波数記憶部２１に記憶されている周波数Ｆ１〜Ｆ４の中から、優先順位が高い周波数を優先的に選択する。
図７の例では、周波数Ｆ４の優先順位が最も高く、周波数Ｆ１の優先順位が最も低い。即ち、周波数Ｆ１〜Ｆ４の優先順位は下記の通りであり、ＲＷ１，２の場合と逆順になっている。
Ｆ４＞Ｆ３＞Ｆ２＞Ｆ１
したがって、図７の例では、周波数選択部２２は、最初に周波数Ｆ４を選択し、その周波数Ｆ４が使用中であれば、未使用中の周波数が見つかるまで、周波数Ｆ３，Ｆ２，Ｆ１の順に選択する。
【００３６】
周波数選択部２２における周波数の選択順序以外は、ＲＷ１，２から周波数の選択要求を受信した場合と同様の処理を実施するため詳細な説明は省略する。
このように、周波数の選択順序が異なることにより、ＲＷ１，２又はＭＴ３，４，５が共通に使用可能な周波数Ｆ１〜Ｆ４の全てを使用していない限り、周波数リソースの競合が発生しなくなる。
【００３７】
以上で明らかなように、この実施の形態２によれば、ＲＷ１，２又はＭＴ３，４，５から周波数の選択要求を受信すると、周波数記憶部２１に記憶されている周波数Ｆ１〜Ｆ４の中から、優先順位が高い周波数を優先的に選択する周波数選択部２２を設け、その周波数選択部２２により選択された周波数の使用状況を判定し、現在使用中であれば、他の周波数の選択を周波数選択部２２に指示し、現在未使用中であれば、周波数の選択完了を周波数選択部２２に指示するように構成したので、周波数リソースの競合を回避して、システムの安定的な動作を実現することができる効果を奏する。
また、この実施の形態２によれば、ＲＷ１，２及びＭＴ３，４，５における周波数記憶部１１及び周波数選択部１２が不要になり、ＲＷ１，２及びＭＴ３，４，５の構成が簡略化される効果を奏する。
【００３８】
実施の形態３．
図８はこの発明の実施の形態３による周波数選択装置を示す構成図である。図において、図２と同一符号は同一または相当部分を示すので説明を省略する。
周波数記憶部３１は周波数選択装置がＲＷ１，２に実装される場合、ＲＷ１，２が使用可能な周波数Ｆ１〜Ｆ３を記憶する。また、周波数選択装置がＭＴ３，４，５に実装される場合、ＭＴ３，４，５が使用可能な周波数Ｆ４を記憶する。なお、周波数記憶部３１は記憶手段を構成している。
ここでは、ＲＷ１，２が使用可能な周波数がＦ１〜Ｆ３であり、ＭＴ３，４，５が使用可能な周波数がＦ４であるものについて示すが（図９を参照）、ＲＷ１，２が使用可能な周波数とＭＴ３，４，５が使用可能な周波数との割当割合は、回線容量や使用頻度などを考慮して決定すればよい。また、ＲＷ１，２が使用可能な周波数とＭＴ３，４，５が使用可能な周波数との割当割合は、地域毎に変更するようにしてもよい。
周波数選択部３２はＲＷ１，２がＲＦＩＤタグ６，７と無線通信を実施する際、周波数記憶部３１に記憶されている周波数Ｆ１〜Ｆ３の中から任意の周波数を選択し、ＭＴ３，４，５がＲＦＩＤタグ６と無線通信を実施する際、周波数記憶部３１に記憶されている周波数Ｆ４を選択する。なお、周波数選択部３２は周波数選択手段を構成している。
【００３９】
次に動作について説明する。
ＲＷ１，２がＲＦＩＤタグ６，７と無線通信を実施する場合、ＲＷ１，２に実装されている周波数選択装置の周波数選択部３２は、周波数記憶部３１に記憶されている周波数Ｆ１〜Ｆ３の中から、任意の周波数を選択する。
なお、周波数選択部３２における周波数の選択方法は特に問わないが、上記実施の形態１と同様に、予め、周波数Ｆ１〜Ｆ３の優先順位を設定し、優先順位が高い周波数から順番に選択するようにしてもよい。
【００４０】
ＲＷ１，２に実装されている周波数選択装置のキャリアセンス部１３は、例えば、周波数選択部３２が周波数Ｆ１を選択すると、上記実施の形態１と同様に、その周波数Ｆ１の使用状況を判定する。
キャリアセンス部１３は、周波数Ｆ１が現在使用中であると判断すると、他の周波数の選択を周波数選択部３２に指示し、現在未使用中であると判断すると、周波数の選択完了を周波数選択部３２に指示する。
【００４１】
ＲＷ１，２に実装されている周波数選択装置の周波数選択部３２は、キャリアセンス部１３から選択完了の指示を受けると、上記実施の形態１と同様に、通信部１４に対して周波数Ｆ１の使用を許可する。
一方、キャリアセンス部１３から他の周波数の選択指示を受けると、周波数記憶部３１の記憶内容を参照して、周波数Ｆ２，Ｆ３の中から、いずれかの周波数を選択する。
ＲＷ１，２に実装されている周波数選択装置のキャリアセンス部１３は、例えば、周波数選択部３２が周波数Ｆ２を選択すると、その周波数Ｆ２の使用状況を判定する。
キャリアセンス部１３は、周波数Ｆ２が現在使用中であると判断すると、他の周波数の選択を周波数選択部３２に指示し、現在未使用中であると判断すると、周波数の選択完了を周波数選択部３２に指示する。
【００４２】
ＲＷ１，２に実装されている周波数選択装置の周波数選択部３２は、キャリアセンス部１３から選択完了の指示を受けると、上記実施の形態１と同様に、通信部１４に対して周波数Ｆ２の使用を許可する。
一方、キャリアセンス部１３から他の周波数の選択指示を受けると、周波数記憶部３１の記憶内容を参照して、残りの周波数Ｆ３を選択する。
ＲＷ１，２に実装されている周波数選択装置のキャリアセンス部１３は、周波数選択部３２が周波数Ｆ３を選択すると、上記実施の形態１と同様に、その周波数Ｆ３の使用状況を判定する。
キャリアセンス部１３は、周波数Ｆ３が現在使用中であると判断すると、現在通信不可能である旨を周波数選択部３２に通知し、現在未使用中であると判断すると、周波数の選択完了を周波数選択部３２に指示する。
【００４３】
ＲＷ１，２に実装されている周波数選択装置の周波数選択部３２は、キャリアセンス部１３から選択完了の指示を受けると、上記実施の形態１と同様に、通信部１４に対して周波数Ｆ３の使用を許可する。
一方、キャリアセンス部１３から現在通信不可能である旨の通知を受けると、通信部１４に対する周波数の使用許可を与えないようにする。
ＲＷ１，２に実装されている周波数選択装置の通信部１４は、周波数選択部３２により使用許可された周波数を使用し、アンテナ１５を介して、ＲＦＩＤタグ６，７と無線通信を実施する。
【００４４】
次に、ＭＴ３，４，５がＲＦＩＤタグ６と無線通信を実施する場合、ＭＴ３，４，５に実装されている周波数選択装置の周波数選択部３２は、周波数記憶部３１に記憶されている周波数Ｆ４を選択する。
なお、ＭＴ３，４，５が使用可能な周波数として、周波数記憶部３１に複数の周波数が記憶されていれば、複数の周波数の中から任意の周波数を選択する。
【００４５】
ＭＴ３，４，５に実装されている周波数選択装置のキャリアセンス部１３は、周波数選択部３２が周波数Ｆ４を選択すると、上記実施の形態１と同様に、その周波数Ｆ４の使用状況を判定する。
キャリアセンス部１３は、周波数Ｆ４が現在使用中であると判断すると、現在通信不可能である旨を周波数選択部３２に通知し、現在未使用中であると判断すると、周波数の選択完了を周波数選択部３２に指示する。
【００４６】
ＭＴ３，４，５に実装されている周波数選択装置の周波数選択部３２は、キャリアセンス部１３から選択完了の指示を受けると、上記実施の形態１と同様に、通信部１４に対して周波数Ｆ４の使用を許可する。
一方、キャリアセンス部１３から現在通信不可能である旨の通知を受けると、通信部１４に対する周波数の使用許可を与えないようにする。
ＭＴ３，４，５に実装されている周波数選択装置の通信部１４は、周波数選択部３２により使用許可された周波数を使用し、アンテナ１５を介して、ＲＦＩＤタグ６と無線通信を実施する。
【００４７】
以上で明らかなように、この実施の形態３によれば、周波数選択装置がＲＷ１，２に実装される場合、ＲＷ１，２が使用可能な周波数Ｆ１〜Ｆ３を記憶し、周波数選択装置がＭＴ３，４，５に実装される場合、ＭＴ３，４，５が使用可能な周波数Ｆ４を記憶するように構成したので、周波数リソースの競合を回避して、システムの安定的な動作を実現することができる効果を奏する。
【００４８】
実施の形態４．
図１０はこの発明の実施の形態４によるリーダライタ管理装置を示す構成図であり、図において、図６と同一符号は同一または相当部分を示すので説明を省略する。
周波数記憶部４１はＲＷ１，２が使用可能な周波数Ｆ１〜Ｆ３を記憶するとともに、ＭＴ３，４，５が使用可能な周波数Ｆ４を記憶する。なお、周波数記憶部４１は記憶手段を構成している。
周波数選択部４２はＲＷ１，２がＲＦＩＤタグ６，７と無線通信を実施する際、周波数記憶部４１に記憶されている周波数Ｆ１〜Ｆ３の中から任意の周波数を選択し、ＭＴ３，４，５がＲＦＩＤタグ６と無線通信を実施する際、周波数記憶部４１に記憶されている周波数Ｆ４を選択する。なお、周波数選択部４２は周波数選択手段を構成している。
【００４９】
上記実施の形態３では、周波数選択装置がＲＷ１，２又はＭＴ３，４，５に実装されるものについて示したが、周波数記憶部４１を実装しているリーダライタ管理装置８がＲＦＩＤシステムに存在する場合、リーダライタ管理装置８の周波数選択部４２が、図８の周波数選択部３２と同様にして、ＲＷ１，２及びＭＴ３，４，５が使用する周波数を決定し、リーダライタ管理装置８の使用周波数通知部２４が当該周波数をＲＷ１，２及びＭＴ３，４，５に通知するようにしてもよい。
なお、ＲＷ１，２及びＭＴ３，４，５が使用する周波数の決定方法は上記実施の形態３と同様であり、周波数の通知方法は上記実施の形態２と同様であるため説明を省略する。
この実施の形態４の場合も、上記実施の形態３と同様に、周波数リソースの競合を回避して、システムの安定的な動作を実現することができる効果を奏する。
【００５０】
実施の形態５．
上記実施の形態３，４では、ＲＷ１，２又はＭＴ３，４，５が使用可能な周波数の全てが現在使用中である場合、通信部１４に対する周波数の使用許可を与えない（または、周波数の選択要求元のＲＷ１，２又はＭＴ３，４，５に対して周波数の使用不許可を通知する）ものについて示したが、周波数選択部３２，４２がキャリアセンス部１３又はキャリアセンス結果収集部２３から現在未使用中の周波数が存在しない旨を示す判定結果を受けると、予め設定された周波数の借用条件を満足するか否かを判定し、その借用条件を満足する場合に限り、他系ユーザのリーダライタが使用可能な周波数の中から任意の周波数を選択するようにしてもよい。
【００５１】
具体的には次の通りである。
周波数選択部３２，４２は、ＲＷ１，２の使用周波数を選択する場合、上記実施の形態３，４と同様に、周波数記憶部３１，４１に記憶されている周波数Ｆ１〜Ｆ３の中から任意に選択する。
しかし、周波数記憶部３１，４１に記憶されている周波数Ｆ１〜Ｆ３の全てが現在使用中である場合、予め設定された周波数の借用条件を満足するか否かを判定する。
例えば、周波数の借用条件が、“キャリアセンス部１３又はキャリアセンス結果収集部２３による判定結果がＮ回連続して、現在未使用中の周波数が存在しない旨を示す”ことであるとすれば、周波数選択部３２，４２は、現在未使用中の周波数が存在しない旨を示す判定結果が１回から連続Ｎ−１の間は、周波数の借用条件を満足しないと判断し、その判定結果が連続Ｎ回になると、周波数の借用条件を満足していると判断する。
【００５２】
周波数選択部３２，４２は、周波数の借用条件を満足していると判断すると、他系ユーザのリーダライタが使用可能な周波数、即ち、ＭＴ３，４，５が使用可能な周波数Ｆ４を選択する。
したがって、周波数選択部３２，４２は、キャリアセンス部１３又はキャリアセンス結果収集部２３が、周波数Ｆ４が現在未使用であると判定すると、ＲＷ１，２の通信部１４に対して周波数Ｆ４の使用を許可する。
【００５３】
また、周波数選択部３２，４２は、ＲＷ１，２の使用周波数を選択する場合、上記実施の形態３，４と同様にして、周波数記憶部３１，４１に記憶されている周波数Ｆ４を選択する。
しかし、周波数記憶部３１，４１に記憶されている周波数Ｆ４が現在使用中である場合、予め設定された周波数の借用条件を満足するか否かを判定する。
例えば、周波数の借用条件が、“キャリアセンス部１３又はキャリアセンス結果収集部２３による判定結果がＮ回連続して、現在未使用中の周波数が存在しない旨を示す”ことであるとすれば、周波数選択部３２，４２は、現在未使用中の周波数が存在しない旨を示す判定結果が１回から連続Ｎ−１の間は、周波数の借用条件を満足しないと判断し、その判定結果が連続Ｎ回になると、周波数の借用条件を満足していると判断する。
【００５４】
周波数選択部３２，４２は、周波数の借用条件を満足していると判断すると、他系ユーザのリーダライタが使用可能な周波数、即ち、ＲＷ１，２が使用可能な周波数Ｆ１〜Ｆ３の中から任意の周波数を選択する。なお、周波数の選択方法は特に問うものではなく、上記実施の形態１，２と同様に、優先順位の高い周波数から順番に選択するようにしてもよい（図１１を参照）。
したがって、周波数選択部３２，４２は、キャリアセンス部１３又はキャリアセンス結果収集部２３が、選択した任意の周波数が現在未使用であると判定すると、ＭＴ３，４，５の通信部１４に対して当該周波数の使用を許可する。
【００５５】
以上で明らかなように、この実施の形態５によれば、周波数選択部３２，４２がキャリアセンス部１３又はキャリアセンス結果収集部２３から現在未使用中の周波数が存在しない旨を示す判定結果を受けると、予め設定された周波数の借用条件を満足するか否かを判定し、その借用条件を満足する場合に限り、他系ユーザのリーダライタが使用可能な周波数の中から任意の周波数を選択するように構成したので、自系の周波数を使用することができない状況下でも、ＲＦＩＤタグと無線通信を実施できる機会を得ることができる効果を奏する。
【００５６】
実施の形態６．
図１２はこの発明の実施の形態６による周波数選択装置を示す構成図であり、図において、図２と同一符号は同一または相当部分を示すので説明を省略する。
周波数帯域記憶部５１は例えば周波数選択装置がＲＷ１に実装される場合、ＲＷ１が使用可能な周波数帯域Ｂ１を記憶する。また、周波数選択装置がＲＷ２に実装される場合、ＲＷ２が使用可能な周波数帯域Ｂ２を記憶する。
ただし、ここでは説明の便宜上、ＲＷ２が使用可能な周波数帯域Ｂ２は、図１３に示すように、ＲＷ１が使用可能な周波数帯域Ｂ１を包含しているものとする。なお、周波数帯域記憶部５１は周波数帯域記憶手段を構成している。
【００５７】
周波数選択部５２は例えば周波数選択装置がＲＷ１に実装される場合、ＲＷ１が使用可能な周波数帯域Ｂ１の中から任意の周波数を選択する。また、周波数選択装置がＲＷ２に実装される場合、ＲＷ２が使用可能な周波数帯域Ｂ２の中から、ＲＷ１が使用可能な周波数帯域Ｂ１の範囲外の周波数を優先的に選択する。なお、周波数選択部５２は周波数選択手段を構成している。
【００５８】
次に動作について説明する。
ＲＷ２が使用可能な周波数帯域Ｂ２が、図１３に示すように、ＲＷ１が使用可能な周波数帯域Ｂ１を包含している場合において、ＲＷ２が使用する周波数をＲＷ１が使用可能な周波数帯域Ｂ１の中から先に選択するようにすると、ＲＷ１が使用可能な周波数帯域Ｂ１の範囲外、即ち、Ｂ２Ｌ，Ｂ２Ｒの周波数帯域の中に未使用の周波数が残っているにも拘わらず、ＲＷ１が使用可能な周波数帯域Ｂ１の中で未使用の周波数が枯渇し、ＲＷ１が周波数を使用することができなくなる状況が発生する。
【００５９】
そこで、ＲＷ２に実装される周波数選択装置の周波数選択部５２は、ＲＷ２がＲＦＩＤタグ６と無線通信を実施する際、ＲＷ２が使用可能な周波数帯域Ｂ２の中から、ＲＷ１が使用可能な周波数帯域Ｂ１の範囲外の周波数を優先的に選択する。
図１４は周波数の選択方式を示しており、例えば、周波数帯域Ｂ２Ｌ又はＢ２Ｒの中から、周波数番号の若番号の周波数から順番に選択するようにしている。
また、図１４には、老番号の周波数から順番に選択したり、ランダムに選択したりする方式なども示している。
なお、周波数選択部５２における周波数の選択以外は、上記実施の形態１，３と同様であるため説明を省略する。
【００６０】
以上で明らかなように、この実施の形態６によれば、ＲＷ２が使用可能な周波数帯域Ｂ２が、ＲＷ１が使用可能な周波数帯域Ｂ１を包含している場合、ＲＷ２がＲＦＩＤタグ６と無線通信を実施する際、ＲＷ２が使用可能な周波数帯域Ｂ２の中から、ＲＷ１が使用可能な周波数帯域Ｂ１の範囲外の周波数を優先的に選択するように構成したので、ＲＷ１が使用可能な周波数帯域Ｂ１における周波数の枯渇の確率を低減することができる効果を奏する。
【００６１】
なお、この実施の形態６では、周波数選択装置がＲＷ１，ＲＷ２に実装されるものについて示したが、上記実施の形態２，４，５と同様に、当該周波数選択装置と同様の機能を有するリーダライタ管理装置８を設けるようにしてもよく、同様の効果を奏することができる。
【００６２】
実施の形態７．
上記実施の形態６では、ＲＷ２が使用可能な周波数帯域Ｂ２が、ＲＷ１が使用可能な周波数帯域Ｂ１を包含している場合、ＲＷ２がＲＦＩＤタグ６と無線通信を実施する際、ＲＷ２が使用可能な周波数帯域Ｂ２の中から、ＲＷ１が使用可能な周波数帯域Ｂ１の範囲外の周波数を優先的に選択するものについて示したが、図１５及び図１６に示すように、周波数帯域記憶部５１が、ＲＷ１が使用可能な周波数帯域Ｂ１として、コマンド送信用の周波数帯域ｆ１＿ｔｘを記憶するとともに、レスポンス受信用の周波数帯域ｆ１＿ｒｘを記憶し、また、ＲＷ２が使用可能な周波数帯域Ｂ２（ＲＷ１が使用可能な周波数帯域Ｂ１を包含している周波数帯域）として、コマンド送信用の周波数帯域ｆ１＿ｔｘ，ｆ２＿ｔｘを記憶するとともに、レスポンス受信用の周波数帯域ｆ１＿ｒｘ，ｆ２＿ｒｘを記憶している場合、ＲＷ２がＲＦＩＤタグ６と無線通信を実施する際、ＲＷ２が使用可能な周波数帯域Ｂ２の中から、ＲＷ１が使用可能な周波数帯域Ｂ１の範囲外、即ち、コマンド送信用の周波数であれば、ｆ２＿ｔｘの周波数帯域の周波数を優先的に選択し、レスポンス受信用の周波数であれば、ｆ２＿ｒｘの周波数帯域の周波数を優先的に選択するようにしてもよい。
この実施の形態７によれば、ＲＷ１が使用可能な周波数帯域Ｂ１における周波数の枯渇の確率を低減することができる効果を奏する。
【００６３】
実施の形態８．
図１７はこの発明の実施の形態８による周波数選択装置を示す構成図であり、図において、図２と同一符号は同一または相当部分を示すので説明を省略する。
コマンド用周波数記憶部６１はコマンドの送信に使用可能な周波数Ｆ１〜Ｆ４を記憶し、レスポンス用周波数記憶部６２はコマンド用周波数記憶部６１に記憶されている周波数と異なり、かつ、そのコマンド用周波数記憶部６１に記憶されている周波数より多くの周波数をレスポンス受信用電波の送信に使用可能な周波数Ｆ５〜Ｆ１０として記憶する。
なお、コマンド用周波数記憶部６１はコマンド用周波数記憶手段を構成し、レスポンス用周波数記憶部６２はレスポンス用周波数記憶手段を構成している。
【００６４】
周波数選択部６３はコマンドをＲＦＩＤタグ６，７に送信する場合、コマンド用周波数記憶部６１に記憶されている周波数Ｆ１〜Ｆ４の中から任意の周波数を選択し、レスポンス受信用電波をＲＦＩＤタグ６，７に送信する場合、レスポンス用周波数記憶部６２に記憶されている周波数Ｆ５〜Ｆ１０の中から任意の周波数を選択する。なお、周波数選択部６３は周波数選択手段を構成している。
【００６５】
次に動作について説明する。
ＲＷ１，２及びＭＴ３，４，５がＲＦＩＤタグ６，７と無線通信を実施するに際して、周波数の利用形態は、大きく分けて２つある。
（１）コマンド送信用の送信電力とレスポンス受信用電波（以下、ＣＷという）の送信電力が同一である利用形態
（２）コマンド送信用の送信電力とレスポンス受信用ＣＷの送信電力が異なる利用形態
【００６６】
一般的に、移動体通信においては、送信用周波数と受信用周波数の数を１：１に割り当てることが多いが、ＲＦＩＤシステムにおいて、コマンド送信用の送信電力とレスポンス受信用ＣＷの送信電力が異なる場合、１：１に周波数を割り当てると、受信側の周波数リソースが足りなくなる。
即ち、レスポンス受信用ＣＷの送信電力は、図１８に示すように、電波の伝搬に伴って減衰し、また、ＲＦＩＤタグにおける反射に伴って減衰するので、コマンド送信用の送信電力の２倍程度の送信電力が必要とされる。
このため、レスポンス受信用ＣＷに用いている周波数帯域では、リーダライタ間で周波数干渉が多く発生するので、使用周波数の間隔を広げる必要があり、受信側の周波数リソースが足りなくなることがある。
【００６７】
そこで、この実施の形態８では、コマンド送信用の周波数帯域における回線収容容量と、レスポンス受信用ＣＷに用いる周波数帯域における回線収容容量を等しくするようにしている。
ここで、回線収容容量とは、ある帯域におけるユーザの収容容量であり、例えばコマンド送信用の周波数帯域において、１０個のリーダライタを同時に収容できる場合、“回線収容容量は、１０リーダライタ”ということになる。
レスポンス受信用ＣＷに用いる周波数帯域においては、上述したように、干渉が発生しやすいことから、コマンド送信用と同じ周波数帯域を割り当てても、レスポンス受信用ＣＷに用いる周波数帯域では１０個のリーダライタを収容できない。したがって、レスポンス受信用ＣＷに用いる周波数帯域を増やす必要がある。
【００６８】
具体的には、下記の通りである。
この実施の形態８では、送信周波数の数と受信周波数の数を非対称に割り当てるため、図１９に示すように、コマンドの送信に使用可能な周波数Ｆ１〜Ｆ４をコマンド用周波数記憶部６１に記憶し、レスポンス受信用ＣＷの送信に使用可能な周波数Ｆ５〜Ｆ１０をレスポンス用周波数記憶部６２に記憶する。
図１９の例では、コマンド送信用周波数の数と、レスポンス受信用ＣＷに用いる周波数の数との比を２：３にしているが、その比は例えば設計によって変化する。
【００６９】
周波数選択部６３は、コマンドをＲＦＩＤタグ６，７に送信する場合、コマンド用周波数記憶部６１に記憶されている周波数Ｆ１〜Ｆ４の中から任意の周波数を選択し、レスポンス受信用電波をＲＦＩＤタグ６，７に送信する場合、レスポンス用周波数記憶部６２に記憶されている周波数Ｆ５〜Ｆ１０の中から任意の周波数を選択する。
なお、周波数の選択方法は特に問わないが、上記実施の形態１と同様に、予め、周波数の優先順位を設定し、優先順位が高い周波数から順番に選択するようにしてもよい。
【００７０】
以上で明らかなように、この実施の形態８によれば、コマンド用周波数記憶部６１がコマンドの送信に使用可能な周波数Ｆ１〜Ｆ４を記憶し、レスポンス用周波数記憶部６２がコマンド用周波数記憶部６１に記憶されている周波数と異なり、かつ、そのコマンド用周波数記憶部６１に記憶されている周波数より多くの周波数をレスポンス受信用ＣＷの送信に使用可能な周波数Ｆ５〜Ｆ１０として記憶するように構成したので、コマンド送信用の周波数帯域における回線収容容量と、レスポンス受信用ＣＷに用いる周波数帯域における回線収容容量を等しくすることができる効果を奏する。
【図面の簡単な説明】
【００７１】
【図１】この発明の実施の形態１による周波数選択装置が搭載されるリーダライタとＲＦＩＤタグから構成されるＲＦＩＤシステムを示す構成図である。
【図２】この発明の実施の形態１による周波数選択装置を示す構成図である。
【図３】ＲＷに実装されている周波数選択装置の周波数記憶部の記憶内容を示す説明図である。
【図４】ＭＴに実装されている周波数選択装置の周波数記憶部の記憶内容を示す説明図である。
【図５】この発明の実施の形態２によるリーダライタ管理装置が適用されるＲＦＩＤシステムを示す構成図である。
【図６】この発明の実施の形態２によるリーダライタ管理装置を示す構成図である。
【図７】リーダライタ管理装置の周波数記憶部の記憶内容を示す説明図である。
【図８】この発明の実施の形態３による周波数選択装置を示す構成図である。
【図９】ＲＷ及びＭＴが使用可能な周波数を示す説明図である。
【図１０】この発明の実施の形態４によるリーダライタ管理装置を示す構成図である。
【図１１】ＲＷ及びＭＴが使用可能な周波数を示す説明図である。
【図１２】この発明の実施の形態６による周波数選択装置を示す構成図である。
【図１３】ＲＷが使用可能な周波数帯域Ｂ１，Ｂ２を示す説明図である。
【図１４】周波数の選択方式を示す説明図である。
【図１５】ＲＷが使用可能な周波数帯域Ｂ１，Ｂ２を示す説明図である。
【図１６】ＲＷが使用可能な周波数帯域Ｂ１，Ｂ２を示す説明図である。
【図１７】この発明の実施の形態８による周波数選択装置を示す構成図である。
【図１８】レスポンス受信用ＣＷの送信電力の減衰を示す説明図である。
【図１９】コマンド送信用周波数とレスポンス受信用ＣＷに用いる周波数を示す説明図である。
【符号の説明】
【００７２】
１，２  ＲＷ（事業者系ユーザのリーダライタ）、１ａ，２ａ  通信可能エリア、３，４，５  ＭＴ（消費者系ユーザのリーダライタ）、６，７  ＲＦＩＤタグ、８  リーダライタ管理装置、１１  周波数記憶部（記憶手段）、１２  周波数選択部（周波数選択手段）、１３  キャリアセンス部（使用状況判定手段）、１４  通信部、１５  アンテナ、２１  周波数記憶部（記憶手段）、２２  周波数選択部（周波数選択手段）、２３  キャリアセンス結果収集部（使用状況判定手段）、２４  使用周波数通知部（周波数通知手段）、２５  アンテナ、３１  周波数記憶部（記憶手段）、３２  周波数選択部（周波数選択手段）、４１  周波数記憶部（記憶手段）、４２  周波数選択部（周波数選択手段）、５１  周波数帯域記憶部（周波数帯域記憶手段）、５２  周波数選択部（周波数選択手段）、６１  コマンド用周波数記憶部（コマンド用周波数記憶手段）、６２  レスポンス用周波数記憶部（レスポンス用周波数記憶手段）、６３  周波数選択部（周波数選択手段）。
【図１】
2006197233.tif 000003
【図２】
2006197233.tif 000004
【図３】
2006197233.tif 000005
【図４】
2006197233.tif 000006
【図５】
2006197233.tif 000007
【図６】
2006197233.tif 000008
【図７】
2006197233.tif 000009
【図８】
2006197233.tif 000010
【図９】
2006197233.tif 000011
【図１０】
2006197233.tif 000012
【図１１】
2006197233.tif 000013
【図１２】
2006197233.tif 000014
【図１３】
2006197233.tif 000015
【図１４】
2006197233.tif 000016
【図１５】
2006197233.tif 000017
【図１６】
2006197233.tif 000018
【図１７】
2006197233.tif 000019
【図１８】
2006197233.tif 000020
【図１９】
2006197233.tif 000021